(57)【要約】【課題】照明装置において、景観上好ましい暖かみや落ち着いた雰囲気が得られる照明を行うことができ、且つ薄明視における視認性を高める。【解決手段】照明装置１は、相関色温度が４５００Ｋを超え７０００Ｋ以下、色偏差Ｄｕｖが±１８以内、暗所視輝度及び明所視輝度の比率であるＳ／Ｐ比が１．９以上である白色光を照射する光源ユニット２（照明用光源）を備える。この構成によれば、相関色温度が７０００Ｋ以下の色温度の光により、景観上好ましい暖かみや落ち着いた雰囲気が得られる照明を行うことができ、且つＳ／Ｐ比を１．９以上に高めることで、薄明視における視認性を高めることができる。【選択図】図５
2016096055.tif 000002
【特許請求の範囲】
【請求項１】
相関色温度が４５００Ｋを超え７０００Ｋ以下、色偏差Ｄｕｖが±１８以内、暗所視輝
度及び明所視輝度の比率であるＳ／Ｐ比が１．９以上である白色光を照射する照明用光源
を備えたことを特徴とする照明装置。
【請求項２】
前記照明用光源は、平均演色評価数Ｒａが６０以上である白色光を照射することを特徴
とする請求項１に記載の照明装置。
【請求項３】
前記照明用光源は、相関色温度が６０００Ｋ以下である白色光を照射することを特徴と
する請求項１又は請求項２に記載の照明装置。
【請求項４】
前記照明用光源は、Ｓ／Ｐ比が２．１以上である白色光を照射することを特徴とする請
求項１乃至請求項３のいずれか一項に記載の照明装置。
【請求項５】
前記照明用光源は、青色の光を出射する青色光源と、前記青色光源から出射された光に
より励起し所定波長の光を出射する第１蛍光体と、前記青色光源から出射された光により
励起し前記第１蛍光体が出射する光の波長とは異なる波長の光を出射する第２蛍光体と、
を有することを特徴とする請求項１乃至請求項４のいずれか一項に記載の照明装置。
【請求項６】
前記青色光源が出射する光のピーク波長が４２５ｎｍを超え４７５ｎｍ未満であること
を特徴とする請求項５に記載の照明装置。
【請求項７】
前記第１蛍光体が出射する光のピーク波長が５１０ｎｍを超え５３０ｎｍ未満であるこ
とを特徴とする請求項５又は請求項６に記載の照明装置。
【請求項８】
前記第２蛍光体が出射する光のピーク波長が５９０ｎｍを超え６６０ｎｍ未満であるこ
とを特徴とする請求項５乃至請求項７のいずれか一項に記載の照明装置。
【請求項９】
前記青色光源が出射する光のピーク強度が、前記第２蛍光体が出射する光のピーク強度
に対し１．８倍を超え３．６倍未満であることを特徴とする請求項５乃至請求項８のいず
れか一項に記載の照明装置。
【請求項１０】
前記第１蛍光体が出射する光のピーク強度が、前記第２蛍光体が出射する光のピーク強
度に対し１倍を超え２．６倍未満であることを特徴とする請求項５乃至請求項９のいずれ
か一項に記載の照明装置。
【請求項１１】
前記照明用光源は、青色の光を出射する青色光源と、前記青色光源から出射された光に
より励起し所定波長の光を出射する第３の蛍光体と、赤色の光を出射する赤色光源と、を
有することを特徴とする請求項１乃至請求項４のいずれか一項に記載の照明装置。
【請求項１２】
前記青色光源が出射する光のピーク波長が４２５ｎｍを超え４７０ｎｍ未満であること
を特徴とする請求項１１に記載の照明装置。
【請求項１３】
前記第３の蛍光体が出射する光のピーク波長が５１０ｎｍを超え５３５ｎｍ未満である
ことを特徴とする請求項１１又は請求項１２に記載の照明装置。
【請求項１４】
前記赤色光源が出射する光のピーク波長が５９０ｎｍを超え６４５ｎｍ未満であること
を特徴とする請求項１１乃至請求項１３のいずれか一項に記載の照明装置。
【請求項１５】
前記青色光源が出射する光のピーク強度が、前記赤色光源が出射する光のピーク強度に
対し０．７倍を超え１．５倍未満であることを特徴とする請求項１１乃至請求項１４のい
ずれか一項に記載の照明装置。
【請求項１６】
前記第３の蛍光体が出射する光のピーク強度が、前記赤色光源が出射する光のピーク強
度に対し０．４倍を超え１．２倍未満であることを特徴とする請求項１１乃至請求項１５
のいずれか一項に記載の照明装置。
【発明の詳細な説明】
【技術分野】
【０００１】
本発明は、主として街路灯に用いられる照明装置に関する。
【背景技術】
【０００２】
従来から、一般的な照明装置では、明るい環境（明所視）における明所視輝度を高める
様な設計がなされている。これは、明所視輝度を高めることで、人の網膜に存在し明所視
において明るさを知覚する錐体を働かせ、人が明るさをより知覚することができるように
するためである。
【０００３】
しかしながら、夜間の街路空間や道路空間等といった、いわゆる薄明視においては、分
光視感効率のピーク値が５５５ｎｍである錐体に加えて、分光視感効率のピーク値が５０
７ｎｍである桿体が働く。そのため、明所視輝度だけを高めても、桿体が十分に働かなけ
れば、人が明るさを十分に知覚できないことがある。このような分光視感効率の変化は、
プルキンエ現象として知られている。
【０００４】
そこで、錐体及び桿体の両方を薄明視において働かせるための複数の光源を備えた照明
装置が知られている（例えば、特許文献１参照）。この照明装置では、光源の内の少なく
とも１つが、薄明視において働く桿体の分光視感効率のピーク波長である５０７ｎｍを含
む波長領域となるように、ピーク値が波長４５０〜５５０ｎｍの間となる構成とされてい
る。
【０００５】
また、相関色温度が相対的に低い光を照射する第１光照射部と、暗所視光束及び明所視
光束の比率であるＳ／Ｐ比が相対的に高い光を照射する第２光照射部と、を備えた照明装
置が知られている（例えば、特許文献２参照）。この照明装置では、第１光照射部が、第
２光照射部よりも鉛直方向において上側の領域を照射することで、街路樹等の植栽に対し
て低色温度光を照射し、景観上好ましい照明を行うことができる。
【先行技術文献】
【特許文献】
【０００６】
【特許文献１】特開２００８−９１２３２号公報
【特許文献１】特開２０１３−２３９２４１号公報
【発明の概要】
【発明が解決しようとする課題】
【０００７】
ところで、上記特許文献１に記載の照明装置では、プルキンエ現象を考慮し、光源の分
光分布を可視光のうち相対的に短波長成分を増すことで、薄明視において人が明るさ感を
得られるようにしている。しかしながら、短波長成分を増すと、相関色温度が高くなるの
で、例えば、街路樹が照明されると、緑色の葉等が青みがかって見え、暖かみや落ち着い
た雰囲気が得られないことがあった。特に、短波長成分を単純に増加させると、演色性が
低下する虞がある。
【０００８】
また、上記特許文献２に記載の照明装置では、景観上好ましい照明を行うためには、街
路樹及び路面といった２つの照射領域を適切に照射できるように、照明装置の設置や配光
に工夫が必要であった。また、路面付近にある植栽等には、高色温度光が照射されること
になり、必ずしも景観上好ましい照明を行うことができないことがあった。
【０００９】
本発明は、上記課題を解決するものであり、景観上好ましい暖かみや落ち着いた雰囲気
が得られる照明を行うことができ、且つ薄明視における視認性が高い照明装置を提供する
ことを目的とする。
【課題を解決するための手段】
【００１０】
上記課題を解決するために、本発明は、相関色温度が４５００Ｋを超え７０００Ｋ以下
、色偏差Ｄｕｖが±１８以内、暗所視輝度及び明所視輝度の比率であるＳ／Ｐ比が１．９
以上である白色光を照射する照明用光源を備えたことを特徴とする照明装置である。
【発明の効果】
【００１１】
本発明によれば、相関色温度が７０００Ｋ以下の色温度の光により、景観上好ましい暖
かみや落ち着いた雰囲気が得られる照明を行うことができ、且つＳ／Ｐ比を１．９以上に
高めることで、薄明視における視認性を高めることができる。
【図面の簡単な説明】
【００１２】
【図１】本発明の第１の実施形態に係る照明装置のブロック構成図。
【図２】上記照明装置を用いた灯具の斜視図。
【図３】上記照明装置に用いられる光源ユニットの側断面構成図。
【図４】上記照明装置においてＳ／Ｐ比と視認性向上との相関を示す図。
【図５】上記照明装置において規定される各種条件を満たす場合及び満たさない場合におけるＳ／Ｐ比等の関係を示す図。
【図６】本発明の第２の実施形態に係る照明装置に用いられる光源ユニットの側断面構成図。
【図７】上記照明装置において規定される各種条件を満たす場合及び満たさない場合におけるＳ／Ｐ比等の関係を示す図。
【発明を実施するための形態】
【００１３】
本発明の第１の実施形態に係る照明装置について、図１乃至図４を参照して説明する。
図１に示すように、本実施形態の照明装置１は、光源ユニット２（照明用光源）と、照明
光が設定された光色となるように光源ユニット２の出力を制御するための制御ユニット３
と、を備える。光源ユニット２には、互いに異なる発光スペクトルを有する複数種の固体
発光素子（以下、ＬＥＤ）、図例では、光源ユニット２として３系統の光源（２ａ，２ｂ
，２ｃ）が用いられ、これらが灯具１０に組み込まれている。また、照明装置１は、各光
源（２ａ〜２ｃ）に所定の電力を供給する電源ユニット４を備える。電源ユニット４は、
図示したように、それ自体が独立した構成であってもよいし、制御ユニット３又は灯具１
０のいずれかに組み込まれていてもよい。
【００１４】
図２に示すように、灯具１０は、例えば、屋外の路面脇に設置された電柱等に固定され
る街路灯として用いられる。灯具１０は、器具本体を保持すると共に、光源ユニット２を
収容する本体部１１と、光源ユニット２の各光源２ａ〜２ｃから出射された光を拡散して
出射するカバー１２と、を備える。また、灯具１０は、本体部１１を電柱（不図示）等に
固定すると共に商用電源から電源供給を受けるための電源線が挿通された固定器具１３を
備える。
【００１５】
図３に示すように、光源ユニット２は、青色の光を出射する青色光源２ａ、略青緑の波
長域の光を出射する緑色光源２ｂ、及び略赤又は橙色の波長域の光を出射する赤色光源２
ｃを有する。青色光源２ａは、電源ユニット４と電気的に接続されて青色の光を出射する
ＬＥＤ２１から成る。緑色光源２ｂは、青色の光を出射するＬＥＤ２１及びＬＥＤ２１か
ら出射された光により励起し所定波長の光を出射する第１蛍光体２２から成る。また、赤
色光源２ｃは、青色の光を出射するＬＥＤ２１及びＬＥＤ２１から出射された光により励
起し第１蛍光体２２が出射する光の波長とは異なる波長の光を出射する第２蛍光体２３か
ら成る。
【００１６】
第１蛍光体２２としては、一般式が、Ｍ１−ａＳｉ２Ｏ２−１／２ｎＸｎＮ２：Ｅｕａ
で表される蛍光体であって、Ｍはストロンチウム（Ｓｒ）、バリウム（Ｂａ）及びカルシ
ウム（Ｃａ）の少なくとも１つ以上の元素であり、Ｘは塩素（Ｃｌ）及び臭素（Ｂｒ）の
少なくとも１つ以上の元素であり、ａは０．００５≦ａ≦０．１５であり、ｎは０．０２
≦ｎ≦０．２であることが望ましい。また、第２蛍光体２３としては、一般式（Ｌａ１−
ｘ−ｙＥｕｘＳｍｙ）２Ｏ２Ｓ（但し、０．０１≦ｘ≦０．１５，０．０００１≦ｙ≦０
．０３）で表わされるユーロピウム・サマリウム付活酸硫化ランタン蛍光体を用いること
が望ましい。なお、これらに限らず後述する規定の仕様にて励起発光する任意の蛍光体が
用いられ得る。このように構成された光源ユニット２は、電源ユニット４からの電力供給
に基づいて各光源２ａ〜２ｃを点灯させて、それらの光に混色により略白色の光を出射す
る。
【００１７】
光源ユニット２は、相関色温度が４５００Ｋを超え７０００以下、色偏差Ｄｕｖが±１
８以内、暗所視輝度及び明所視輝度の比率であるＳ／Ｐ比が１．９以上である白色光を照
射する。また、この白色光の平均演色評価数Ｒａが６０以上である。
【００１８】
Ｓ／Ｐ比とは、薄明視下での視認性の性能評価指数である。Ｓ／Ｐ比は、例えば、暗所
視輝度をＬｓ、明所視輝度をＬｐ、光源（照光部）の分光放射強度をＳ（λ）、明所視で
の分光視感効率をＶ（λ）、暗所視での分光視感効率をＶ’（λ）とした場合に以下の式
（１）で算出することができる。
【００１９】
【数１】
2016096055.tif 000003
【００２０】
明所視標準分光視感効率に対し最適化されている一般的な照明用白色光源（以下、参照
光源）では、例えば、４０００Ｋ〜７０００ＫでＳ／Ｐ比１．７程度のものがよく用いら
れている。図４は、参照光源の視認性に対する、順応輝度０．１ｃｄ／ｍ２の場合の、本
実施形態の照明装置１による視認性向上効果を示す。ここで、視認性向上効果は、参照光
源と本実施形態の照明装置１とを同じ照度で照らしたときに、本実施形態の照明装置１に
よる視認性と同等の視認性を得るのに必要な、参照光源の照度の倍数であり、参考文献（
Commission Internationale de l’E´clairage. Recommended System for Visual Perfo
rmance Based Mesopic Photometry. CIE Publication 191. Vienna: CIE, 2010.）に基づ
き計算される。同図から、Ｓ／Ｐ比を１．９以上とすることにより、Ｓ／Ｐ比１．７の参
照光源に対し、有意に高い視認性を得られることが分かる。
【００２１】
上記のようなＳ／Ｐ比を実現するために、本実施形態の実施例では、青色光源２ａが出
射する光のピーク波長が４２５ｎｍを超え４７０ｎｍ未満であり、第１蛍光体２２が出射
する光のピーク波長が５１０ｎｍを超え５３０ｎｍ未満であり、第２蛍光体２３が出射す
る光のピーク波長が５９０ｎｍを超え６６０ｎｍ未満であることが望ましい。また、青色
光源２ａが出射する光のピーク強度が、第２蛍光体２３が出射する光のピーク強度に対し
１．８倍を超え３．６倍未満であり、第１蛍光体２２が出射する光のピーク強度が、第２
蛍光体２３が出射する光のピーク強度に対し１倍を超え２．６倍未満であることが望まし
い。
【００２２】
図５は、各光源のピーク波長を、上記範囲に設定した本実施形態の実施例の条件を満た
す場合と、上記範囲外に設定して本実施形態の実施例の条件を満たさない場合における相
関色温度、色偏差Ｄｕｖ、Ｓ／Ｐ比を夫々示す。
【００２３】
このように、本実施形態の照明装置１（図５に示す光源１〜５）によれば、相関色温度
を、４５００Ｋを超え７０００Ｋ以下にしているので、各種照明基準や認証基準における
要求を満たすことができる（Energy Star（登録商標）Program Requirements for Lumina
ires Version 1.2参照）。このような、中色温度の光を照射することにより、暖かみや落
ち着いた雰囲気を得ることができる。しかも、Ｓ／Ｐ比を１．９以上としたので、図４に
示したように、薄明視環境下での視認性を向上させることができる。
【００２４】
また、図５で示した光源１〜４のように、相関色温度は６０００Ｋ以下、Ｓ／Ｐ比が２
．１以上であることがより好ましい。このように、６０００Ｋ以下の中色温度の光により
、景観上好ましい暖かみや落ち着いた雰囲気が得られる照明を行うことができ、且つ高い
Ｓ／Ｐ比を高めることで、薄明視における視認性を高めることができる。
【００２５】
また、本実施形態によれば、色偏差Ｄｕｖが±１８以内となり、照射される光の光色を
黒体軌跡に近づけて自然な白色とすることができる。更に、図５で示した光源２，５によ
れば、道路灯やトンネル内の照明などの屋外照明装置の設計基準（色偏差Ｄｕｖ±１０以
内、平均演色評価数Ｒａ６０以上）を満足することができる（国土交通省  ＬＥＤ道路・
トンネル照明導入ガイドライン（案）平成２３年）。
【００２６】
また、平均演色評価数Ｒａはいずれの実施例でも８０以上と、高くすることができ、被
照射物の色の見えを、ＪＩＳ  Ｚ９１１０に規定を満足する屋外照明と同等にすることが
できる。このため、例えば、街路樹が照明されると、緑色の葉等が自然な色に見え、植栽
等より自然な色の見えが要求される部位の照明装置にも使用することができる。
【００２７】
次に、本発明の第２の実施形態に係る照明装置について、図６及び図７を参照して説明
する。本実施形態の照明装置は、上記第１の実施形態と同様に、電柱等に固定される街路
灯（図２で示した灯具１０）として用いられ、光源ユニット２の構成において相違する。
【００２８】
図６に示すように、本実施形態の照明装置の光源ユニット２は、上記第１の実施形態と
同様、青色の光を出射する青色光源２ａ、略青緑の波長域の光を出射する緑色光源２ｂ、
及び略赤又は橙色の波長域の光を出射する赤色光源２ｃを有する。青色光源２ａは、電源
ユニット４と電気的に接続されて青色の光を出射するＬＥＤ２４から成る。緑色光源２ｂ
は、青色の光を出射するＬＥＤ２４及びＬＥＤ２４から出射された光により励起し所定波
長の光を出射する第３蛍光体２５から成る。また、赤色光源２ｃは、赤色の光を出射する
ＬＥＤ２６から成る。
【００２９】
本実施形態においても、光源ユニット２は、相関色温度が４５００Ｋを超え７０００Ｌ
以下、色偏差Ｄｕｖが±１８以内、暗所視輝度及び明所視輝度の比率であるＳ／Ｐ比が１
．９を超える白色光を照射する。ただし、上記第１の実施形態で示したＬＥＤ２１及び第
１蛍光体２２と、本実施形態のＬＥＤ２４、第３蛍光体２３とは、夫々僅かに発光波長が
異なり、赤色光源２ｃを構成するＬＥＤ２６は、自発光により略赤又は橙色の光を出射す
る。
【００３０】
上記のようなＳ／Ｐ比を実現するために、本実施形態の実施例では、青色光源２ａが出
射する光のピーク波長が４２５ｎｍを超え４７０ｎｍ未満であり、第３蛍光体２５が出射
する光のピーク波長が５１０ｎｍを超え５３５ｎｍ未満であり、赤色光源２ｃが出射する
光のピーク波長が５９０ｎｍを超え６４５ｎｍ未満であることが望ましい。また、青色光
源２ａが出射する光のピーク強度が、赤色光源２ｃが出射する光のピーク強度に対し０．
７倍を超え１．５倍未満であり、第３蛍光体２５が出射する光のピーク強度が、赤色光源
２ｃが出射する光のピーク強度に対し０．４倍を超え１．２倍未満であることが望ましい
。
【００３１】
図７は、各光源のピーク波長を、上記範囲に設定した本実施形態の実施例の条件を満た
す場合と、上記範囲外に設定して本実施形態の実施例の条件を満たさない場合における相
関色温度、色偏差Ｄｕｖ、Ｓ／Ｐ比を夫々示す。
【００３２】
本実施形態においても、各光源を制御して中色温度の光を照射することにより、暖かみ
や落ち着いた雰囲気を得ることができる。しかも、Ｓ／Ｐ比を１．９以上としたので、図
４に示したように、薄明視環境下での視認性を向上させることができる。また、赤色光源
２ｃに赤色の光を出射するＬＥＤを用いたので、蛍光体を用いた場合よりも、材料コスト
を抑制することができ、また、赤色光の波長の半値幅が小さくなり、色偏差Ｄｕｖをより
小さく設定することが容易となる。
【００３３】
なお、本発明は、上記実施形態に限らず種々の変形が可能である。例えば、上記実施形
態では、照明装置１を街路灯として用いた構成を示したが、照明装置１は、一般照明とし
て要求される演色性を具備しているので、通常の屋内照明や、門燈等に用いられてもよい
。また、照明装置１は、発光色の異なる３種の光源の点灯出力を制御することにより、照
明装置１の設置場所における環境、例えば、外部の明るさ環境等に応じて、Ｓ／Ｐ比や平
均演色評価数Ｒａを適宜に変更できるように構成される。
【符号の説明】
【００３４】
１    照明装置
２    光源ユニット（照明用光源）
２ａ    青色光源
２ｃ    赤色光源
２２  第１蛍光体
２３  第２蛍光体
２５  第３蛍光体
【図１】
2016096055.tif 000004
【図２】
2016096055.tif 000005
【図３】
2016096055.tif 000006
【図５】
2016096055.tif 000007
【図６】
2016096055.tif 000008
【図７】
2016096055.tif 000009
【図４】
2016096055.tif 000010